(57)【要約】【課題】ケーシング内の凝縮水を車体側の排水孔まで良好に流す。【解決手段】送風ユニット１からの送風空気が冷房用熱交換機２０の下側に流入し、その送風空気が冷房用熱交換機２０の熱交換部２３を通り上側に流れる。このとき、熱交換部２３では、送風空気を冷却する。このとき、熱交換部２３では凝縮水が発生する。この凝縮水は熱交換部２３側から下側タンク２４側に流れ、この凝縮水が下ケーシング１０ａの水溜部１２ａに落下する。凝縮水が水溜部１２ａの排水孔１１からドレインカバー４０に流れ込み、凝縮水がドレインカバー４０によって車体側の排水孔まで案内される。ドレインカバー４０の中空部４２は、ケーシング１０側から車体側排水孔側に向けて狭くなっているので、ドレインカバー４０内を凝縮水が流れる際に異音が生じることはない。【選択図】図３
2007191118.tif 000002
【特許請求の範囲】
【請求項１】
空気を車室内に向けて流す空調ケーシング（１０）と、
前記空調ケーシング内に配置され、前記空気を冷却する冷房用熱交換器（２０）と、を備え、
前記空調ケーシングは、前記冷房用熱交換器から流出した凝縮水を排出する排出孔（１１）を備え、
前記空調ケーシングの排出孔からの凝縮水を車体側の排水孔に導くように形成される中空部（４２）と、前記中空部内から前記車体側排水孔に凝縮水を排出する排出孔（４１）とを有するドレイン排水部（４０）を備え、
前記ドレイン排水部の中空部は、前記空調ケーシング側から前記車体側の排水孔側に向けて狭くなるように形成されていることを特徴とする車両用空調装置。
【請求項２】
前記冷房用熱交換器は、水平方向に対して斜めに配置されていることを特徴とする請求項１に記載の車両用空調装置。
【請求項３】
前記冷房用熱交換器は、前記空気を冷却する熱交換部（２３）と、この熱交換部の下側に配置される排水部（２４）とを備えており、
前記熱交換部で発生した凝縮水が前記排水部を経て前記空調ケーシングの底壁（１２）に流れ落ちるようになっており、
前記空調ケーシングのうち前記冷房用熱交換器よりも下側の空間において、前記熱交換部側から前記排出部側に前記空気が流れることを妨げるように形成される仕切部（１４、２５）を備えていることを特徴とする請求項２に記載の車両用空調装置。
【請求項４】
前記ドレイン排水部および前記車体の間に配置され、かつ前記ドレイン排水部の排水孔および前記車体側の排水孔の間を密閉するシール部材（５０）が設けられていることを特徴とする請求項１ないし３のいずれか１つに記載の車両用空調装置。
【請求項５】
前記空調ケーシング内に配置され、走行用エンジンとの間でヒータパイプ（３０）を通して循環する熱媒体に基づき、前記冷房用熱交換器により冷却された空気を加熱するヒータユニット（２５）を備えており、
前記ドレイン排水部は、前記ヒータパイプを支持するようになっていることを特徴とする請求項１ないし４のいずれか１つに記載の車両用空調装置。
【請求項６】
前記ドレイン排水部は、前記ヒータパイプが貫通する貫通孔（４５）と、前記貫通孔の内側に向けてそれぞれ突起するように形成される各突起部（４７）と、を備え、
前記ヒータパイプが前記貫通孔内に貫通した状態では前記各突起部が弾性変形して前記ヒータパイプを支持するようになっていることを特徴とする請求項５に記載の車両用空調装置。
【発明の詳細な説明】
【技術分野】
【０００１】
本発明は、空調ケーシング内に冷房用熱交換器を収納してなる車両用空調装置に関する。
【背景技術】
【０００２】
従来、この種の空調装置では、空調ケーシング内に冷房用熱交換器が水平方向に対して斜めに配置されているものがある（例えば、特許文献１参照）。
【０００３】
この特許文献１には凝縮水の排水構造について詳細に記載されていないが、一般的に次のような構造になっている。
【０００４】
冷房用熱交換器は、下側から上側に流れる空気を冷却する熱交換部と、この熱交換部より下側に配置された下側タンクを備えている。この下側タンク側には、熱交換部で発生した凝縮水が流れ落ちる。これに伴い、凝縮水は、下側タンクの表面を経て空調ケーシングの底面に流れ落ち、この凝縮水は、空調ケーシングの底面の排出孔から車体側排水孔に排出される。
【０００５】
ここで、冷房用熱交換器の下側タンクの下側に空調ケーシングの排出孔が位置し、かつ空調ケーシングの排出孔の下側に車体側排水孔が位置するので、凝縮水は、空調ケーシングの排出孔を通り、良好に、車体側の排水孔に流れるようになっている。
【特許文献１】特開平９−１２３７４８号公報
【発明の開示】
【発明が解決しようとする課題】
【０００６】
上述の車両用空調装置では、上述の如く、冷房用熱交換器の下側タンクの下側に車体側の排水孔が配置されていると、凝縮水が、空調ケーシングの排出孔を通り、車体側の排水孔に流れるが、車体によっては、車体側の排水孔が冷房用熱交換器の熱交換部の下側に配置されているものがある。
【０００７】
この場合、空調ケーシングの排出孔および車体側の排水孔の間においてホースを曲げた状態で連結することが考えられるが、ホース内の流路が細く、かつ曲がっていると、凝縮水がホース内を流れる際に異音が生じることが考えられる。
【０００８】
本発明は、上記点に鑑み、車体側の排水孔の位置に関わらず、車体側の排水孔に凝縮水を良好に流すことを可能にした車両用空調装置を提供することを目的とする。
【課題を解決するための手段】
【０００９】
上記目的を達成するため、本発明では、空気を車室内に向けて流す空調ケーシング（１０）と、空調ケーシング内に配置され、空気を冷却する冷房用熱交換器（２０）と、を備え、空調ケーシングは、冷房用熱交換器から流出した凝縮水を排出する排出孔（１１）を備え、空調ケーシングの排出孔からの凝縮水を車体側の排水孔に導くように形成される中空部（４２）と、中空部内から車体側排水孔に凝縮水を排出する排出孔（４１）とを有するドレイン排水部（４０）を備え、
ドレイン排水部の中空部は、空調ケーシング側から車体側の排水孔側に向けて狭くなるように形成されていることを特徴とする。
【００１０】
したがって、ドレイン排水部の中空部は、空調ケーシング側から車体側の排水孔側に向けて狭くなるように形成されているので、凝縮水がドレイン排水部の中空部を流れる際に異音が生じることはない。このため、車体側の排水孔の位置に関わらず、車体側の排水孔に凝縮水を良好に流すことができる。
【００１１】
なお、特許請求の範囲およびこの欄で記載した各手段の括弧内の符号は、後述する実施形態に記載の具体的手段との対応関係を示すものである。
【発明を実施するための最良の形態】
【００１２】
図１〜図３に本発明の一実施形態の車両用空調装置を示す。図１は、車両用空調装置の室内空調ユニットを車両後方から視た図、図２は室内空調ユニットを車幅方向の右側から視た図、図３は図１中のＡ−Ａ断面図である。図中の上矢印は天地方向の上方、下矢印は天地方向の下方、右矢印は車幅方向の右方、左矢印は車幅方向の左方、前矢印は車両前方（すなわち、走行方向）、後矢印は車両後方向を示している。
【００１３】
本実施形態の室内空調ユニットは、車室内のインストルメントパネルの車両前方（すなわち、進行方向）に配置されているものであって、図１に示すように、空気流を発生する送風ユニット１と、送風ユニット１からの送風される空気温度を調節する熱交換ユニット２とを備えている。
【００１４】
熱交換ユニット２は、図２に示すように、ケーシング１０、冷房用熱交換機２０、ヒータユニット２５、およびドレインカバー４０を備えている。ケーシング１０は、樹脂材料からなり、下ケーシング１０ａに上ケーシング１０ｂを組み合わせて構成され、車室内に向けて空気を流すように形成されている。
【００１５】
ここで、図３に示すように、下ケーシング１０ａの底壁１２は、車両後側よりも車両前側の方が下側になるように傾斜して配置されている。下ケーシング１０ａの底壁１２のうち前側部分には、冷房用熱交換機２０で発生した凝縮水を溜める水溜部１２ａが形成されており、水溜部１２ａの壁面には、凝縮水を排出する排水孔１１が設けられている。
【００１６】
冷房用熱交換機２０は、図２に示すように、ケーシング１０のうち下側に配置されており、冷房用熱交換機２０は、その車両後側よりも車両前側の方が下側になるように傾斜して配置されている。
【００１７】
ここで、冷房用熱交換機２０は、図３に示すように、上側タンク２２、熱交換部２３、および下側タンク２４から構成されている。熱交換部２３は、上側タンク２２および下側タンク２４の間に配置されており、熱交換部２３は、上側タンク２２から冷媒が流入する各プレートチューブおよび熱交換フィンから構成され、冷媒によって空気を冷却する。
【００１８】
上側タンク２２は、熱交換部２３に対して車両後側（すなわち、斜め上側）に配置され、熱交換部２３の各プレートチューブのそれぞれに冷媒を分流する。下側タンク２４は、下ケーシング１０ａの水溜部１２ａの上側に配置されており、下側タンク２４には、熱交換部２３の各プレートチューブから流出した冷媒が集められるようになっている。
【００１９】
ここで、下ケーシング１０ａのうち冷房用熱交換機２０よりも下側の空間には、底壁１２から上側に延出する仕切壁１４が設けられており、仕切壁１４は、突起部１２５と組み合わさって、熱交換部２３側から下側タンク２４側に空気が流入するのを妨げる。突起部１２５は、弾性変形可能なゴム等の樹脂材料からなるもので、仕切壁１４に填め込まれて、上側に延出するように形成されている。
【００２０】
ヒータユニット２５は、図２に示すように、空調ケーシング１０内において冷房用熱交換機２０の上側に配置されており、ヒータユニット２５は、走行用エンジンとの間でヒータパイプ３０を通して循環する熱媒体に基づき、冷房用熱交換器２０により冷却された空気を加熱する。
【００２１】
また、空調ケーシング１０のうち、ヒータユニット２５の側方には、冷房用熱交換機２０からの冷風を、ヒータユニット２５をバイパスして流すバイパス通路が設けられている。ヒータユニット２５の空気上流側には、回転可能に支持されるエアミックスドアが設けられ、エアミックスドアの回転角度によってヒータユニット２５に流入する空気量とバイパス通路に流入する空気量との比率を調整することにより、吹出口から車室内に吹き出される空気温度を調整されるようになっている。
【００２２】
また、ドレインカバー４０は、下ケーシング１０ａの下側において、下ケーシング１０ａの垂壁１３ａ、１３ｂに組み合わさるように配置されている。ドレインカバー４０は、樹脂材料により一体形成されたものであって、図３に示すように、漏斗（すなわち、朝顔の花）のように形成されている。
【００２３】
具体的には、ケーシング１０の排出孔１１からの凝縮水を車体側排水孔に導くように形成される中空部４２と、中空部４２の下側に形成され、かつ中空部４２内から車体側排水孔に凝縮水を排出する排出孔４１とを有する。ここで、中空部４２は、ケーシング１０側から車体側排水孔側に向けて狭くなるように形成されている。
【００２４】
また、ドレインカバー４０は、図２に示すように、ヒータパイプ３０を支持する支持部４１を備えている。ここで、支持部４１の具体的構造について、説明する。図４に支持部４１の拡大図、図５に図４中のＢ矢視図、図６に図５中Ｃ−Ｃ断面図を示す。
【００２５】
支持部４１は、板状に形成され、図４に示すように、車体側の座面６０との間にシール部材５０を挟んでいる。シール部材５０は、スポンジ等の材料からなり、車体側の排水孔および排水孔４１の間を密閉する。
【００２６】
支持部４１には、図５に示すように、二つの貫通孔４５と、貫通孔４５の内側に向けてそれぞれ突起するように形成される各爪部４７とが設けられている。
【００２７】
各ヒータパイプ３０が支持部４１の各貫通孔４５にそれぞれ貫通した状態では、図６（図では、一本のヒータパイプ３０だけを示す）に示すように、各爪部４７がヒータパイプ３０の貫通方向に弾性変形してヒータパイプ３０をそれぞれ支持するようになっている。
【００２８】
次に、本実施形態の作動について説明する。
【００２９】
送風ユニット１からの送風空気が冷房用熱交換機２０の下側に流入し、図３中矢印Ｙの如く、その送風空気が冷房用熱交換機２０の熱交換部２３を通り上側に流れる。このとき、熱交換部２３では、冷媒が蒸発して送風空気を冷却する。これに伴い、熱交換部２３では凝縮水が発生する。この凝縮水は熱交換部２３側から下側タンク２４側に流れる。
【００３０】
ここで、仕切壁１４が設けられていなく、かつ下ケーシング１０ａの排水孔１１および車体側の排水孔が熱交換部２３の下側に配置されている場合には、下ケーシング１０ａのうち冷房用熱交換機２０よりも下側の空間においては、送風ユニット１からの空気流が、冷房用熱交換機２０に向けて上側に流れる空気流と、下ケーシング１０ａの排水孔１１側に流れる空気流とに分流する。
【００３１】
このとき、下側タンク２４においては二つの空気流によって凝縮水を熱交換部２３および下側タンク２４に保持する力が働くため、熱交換部２３および下側タンク２４の表面に凝縮水が滞留する。このため、送風ユニット１のオン、オフ時などに、滞留した凝縮水が水滴となって飛散する場合がある。
【００３２】
一方、本実施形態では、下ケーシング１０ａのうち冷房用熱交換機２０よりも下側の空間においては、仕切壁１４によって熱交換部２３側から下側タンク２４側に空気が流入するのを妨げられている。このため、送風ユニット１からの送風空気が下ケーシング１０ａの排水孔１１に流れることはない。
【００３３】
したがって、熱交換部２３で発生した凝縮水が、熱交換部２３および下側タンク２４の表面に凝縮水が滞留することはなく、下側タンク２４側に流れ、凝縮水が下側タンク２４（これは、特許請求の範囲に記載の排出部に相当する）の表面を経て、下ケーシング１０ａの水溜部１２ａに落下する。これに伴い、凝縮水が水溜部１２ａの排水孔１１からドレインカバー４０に流れ込み、この凝縮水がドレインカバー４０によって図３中の矢印Ｇの如く、車体側の排水孔まで案内される。
【００３４】
ここで、ドレインカバー４０の中空部４２は、ケーシング１０側から車体側排水孔側に向けて狭くなるように形成されている。このため、ドレインカバー４０の中空部４２内を凝縮水が流れる際に異音が生じることはない。したがって、凝縮水がドレインカバー４０によって車体側の排水孔まで良好に流すことができる。
【００３５】
本実施形態では、ドレインカバー４０および車体側座面６０との間にシール部材５０を配置して、車体側の排水孔および排水孔４１の間を密閉しているので、凝縮水が車体側の排水孔および排水孔４１の間から漏れることはない。
【００３６】
本実施形態では、ドレインカバー４０の支持部４１において、各爪部４７が弾性変形してヒータパイプ３０をそれぞれ支持するようになっているので、振動等によりヒータパイプ３０がその貫通方向に対する水平方向に揺れることがあっても、ヒータパイプ３０およびヒータユニット２５の間の接合部に悪影響を与えることはない。
【図面の簡単な説明】
【００３７】
【図１】本発明に係る車両用空調装置の室内空調ユニットを車両後方から観た示す外観図である。
【図２】上述の実施形態に係る室内空調ユニットを車両右方から観た示す外観図である。
【図３】図１中のＡ−Ａ断面図である。
【図４】図２中のドレインカバーの支持部の拡大図である。
【図５】図４中Ｂ矢視図である。
【図６】図５中のＣ−Ｃ断面図である。
【符号の説明】
【００３８】
１…送風ユニット、１０…ケーシング、１０ａ…下ケーシング、
１０ｂ…上ケーシング、１２…底壁、１１…下ケーシングの排水孔、
１２ａ…水溜部、２０…冷房用熱交換機、２２…上側タンク、
２３…熱交換部、２４…下側タンク、２５…ヒータユニット、
３０…ヒータパイプ、４０…ドレインカバー、４１…支持部、
４７…爪部、４７…貫通孔。
【図１】
2007191118.tif 000003
【図２】
2007191118.tif 000004
【図３】
2007191118.tif 000005
【図４】
2007191118.tif 000006
【図５】
2007191118.tif 000007
【図６】
2007191118.tif 000008